【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
連続高周波振動呼吸治療装置であって、
加圧された気体源と、
気体源からの流れを調整する減圧調整器と、
少なくとも１ヘルツ、多くとも１５ヘルツの割合で連続した正の気体流を中断し、それによって気体流がほぼ一定の圧力振幅で拍動するようになる手段と、
流入及び流出を可能にするため雰囲気に対して開放した少なくとも１つの所定サイズの開口と、エアロゾルの同伴のために噴霧器に接続可能なエアロゾル同伴ポートとを有するシュラウドに入った固定ベンチュリ・チューブを組み込んだ患者インタフェース回路とを備え、
前記連続気体流中断手段が前記少なくとも１つの開口と組み合わされて、呼気を可能にし、患者の気道内にガスの連続的ボリュームが蓄積するのを防止するよう較正される装置。
【請求項２】
気体流の調節と拍動率の調節とのうち少なくとも１つが工場で予め設定され、それにより最適設定の大部分が予め決定され、使用の単純さが最大限になる、請求項１に記載の装置。
【請求項３】
流入及び流出を増加させ、減少させるため、少なくとも１つの開口を部分的に閉塞することができる、請求項１に記載の装置。
【請求項４】
前記開口の不注意による閉塞を防止する手段をさらに含む、請求項１に記載の装置。
【請求項５】
治療期間の終了時に前記装置を自動的にオフに切り換えること、及び治療期間が終了したことを患者に通知する警告を発することのうち少なくとも一方を実行することができるタイミング器具をさらに含む、請求項１に記載の装置。
【請求項６】
前記装置の使用を追跡し、それによって患者と呼吸治療とのコンプライアンスを確認することができる手段をさらに含む、請求項１に記載の装置。
【請求項７】
患者インタフェース回路に接続された噴霧器に薬剤を給送することができる元となる薬剤リザーバをさらに含む、請求項１に記載の装置。
【請求項８】
少なくとも１つの開口が、主に気体の入口用に指定されており、同伴される気体の内容を制御するために指定された気体源に接続され、少なくとも１つの開口が、主に気体の出口用に指定されており、排出気体を収集する、雰囲気に対して開放であるリザーバに接続される、請求項１に記載の装置。
【請求項９】
前記患者インタフェース回路が、人工呼吸器回路につながること、及びそれに組み込まれることのうち少なくとも一方である、請求項１に記載の装置。
【請求項１０】
前記加圧気体が装置内の電子コンプレッサから供給される、請求項１に記載の装置。
【請求項１１】
装置の構成要素のうち少なくとも幾つかが、装置の他の構成要素との適合性を示す識別器具を含む、請求項１に記載の装置。
【請求項１２】
前記識別手段が、高周波識別（ＲＦＩＤ）タグ器具及びＲＦＩＤトランシーバ器具の少なくとも一方を備える、請求項１１に記載の装置。
【請求項１３】
連続高周波振動呼吸治療装置とともに使用する患者インタフェース回路であって、
患者インタフェース回路を連続高周波振動呼吸治療装置につなげる手段と、
流入及び流出を可能にするため雰囲気に対して開放した少なくとも１つの所定サイズの開口と、エアロゾルの同伴のために噴霧器に接続可能なエアロゾル同伴ポートとを有するシュラウドに入った固定ベンチュリ・チューブとを備え、
患者インタフェース回路の前記少なくとも１つの開口が、連続高周波振動呼吸治療装置とともに、呼気を可能にして、患者の気道内に気体の連続的ボリュームが蓄積するのを防止するよう較正される患者インタフェース回路。
【請求項１４】
連続高周波振動呼吸治療装置であって、
加圧された気体源と、
気体源からの流れを調整する減圧調整器と、
少なくとも１ヘルツ、多くとも１５ヘルツの所定の予め設定した割合で連続した正の気体流を中断し、それによって気体流がほぼ一定の圧力振幅で拍動するようになる手段と、
流入及び流出を可能にするため雰囲気に対して開放した少なくとも１つの所定サイズの開口と、エアロゾルの同伴のために噴霧器に接続可能なエアロゾル同伴ポートとを有するシュラウドに入ったベンチュリ・チューブを組み込んだ患者インタフェース回路とを備え、
前記連続気体流中断手段が前記少なくとも１つの開口と組み合わされて、呼気を可能にし、患者の気道内にガスの連続的ボリュームが蓄積するのを防止するよう較正される装置。
【請求項１５】
前記装置への気体流調節が、工場で予め設定される、請求項１４に記載の装置。
【請求項１６】
流入及び流出を増加及び減少させるために少なくとも１つの開口を部分的に閉塞することができる、請求項１４に記載の装置。
【請求項１７】
前記開口の不注意による閉塞を防止する手段をさらに含む、請求項１４に記載の装置。
【請求項１８】
治療期間の終了時に前記装置を自動的にオフに切り換えること、及び治療期間が終了したことを患者に通知する警告を発することのうち少なくとも一方を実行することができるタイミング器具をさらに含む、請求項１４に記載の装置。
【請求項１９】
前記装置の使用を追跡し、それによって患者と呼吸治療とのコンプライアンスを確認することができる手段をさらに含む、請求項１４に記載の装置。
【請求項２０】
患者インタフェース回路に接続された噴霧器に薬剤を給送することができる元となる薬剤リザーバをさらに含む、請求項１４に記載の装置。
【請求項２１】
少なくとも１つの前記開口が、主に気体の入口用に指定されており、同伴される気体の内容を制御するために指定された気体源に接続され、少なくとも１つの前記開口が、主に気体の出口用に指定されており、排出気体を収集するリザーバに接続されること、及び雰囲気に対して開放されることのうち少なくとも一方である、請求項１４に記載の装置。
【請求項２２】
前記患者インタフェース回路が、人工呼吸器回路につながること、及びそれに組み込まれることのうち少なくとも一方である、請求項１４に記載の装置。
【請求項２３】
前記加圧気体が装置内の電子コンプレッサから供給される、請求項１４に記載の装置。
【請求項２４】
装置の構成要素のうち少なくとも幾つかが、装置の他の構成要素との適合性を示す識別器具を含む、請求項１４に記載の装置。
【請求項２５】
前記識別手段が、高周波識別（ＲＦＩＤ）タグ器具及びＲＦＩＤトランシーバ器具の少なくとも一方を備える、請求項２４に記載の装置。
【請求項２６】
連続高周波振動呼吸治療装置であって、
加圧された気体源と、
気体源からの流れを調整する減圧調整器と、
少なくとも１ヘルツ、多くとも１５ヘルツの割合で正の気体流を中断し、それによって気体流がほぼ一定の圧力振幅で拍動するようになる手段と、流入及び流出を可能にするために雰囲気に対して開放した少なくとも１つの所定サイズの開口、及びエアロゾルの同伴のために噴霧器に接続可能なエアロゾル同伴ポートを有するシュラウドに入った固定ベンチュリ・チューブとを組み込んだ患者インタフェース回路とを備え、前記連続気体流中断手段が前記少なくとも１つの開口と組み合わされて、呼気を可能にし、患者の気道内にガスの連続的ボリュームが蓄積するのを防止するよう較正される装置。
【請求項２７】
前記装置の気体流及び拍動率の調節のうち少なくとも１つが工場で予め設定され、それにより最適設定の大部分が予め決定され、使用の単純さが最大限になる、請求項２６に記載の装置。
【請求項２８】
流入及び流出を増加させ、減少させるため、少なくとも１つの開口を部分的に閉塞することができる、請求項２６に記載の装置。
【請求項２９】
前記開口の不注意による閉塞を防止する手段をさらに含む、請求項２６に記載の装置。
【請求項３０】
治療期間の終了時に前記装置を自動的にオフに切り換えること、及び治療期間が終了したことを患者に通知する警告を発することのうち少なくとも一方を実行することができるタイミング器具をさらに含む、請求項２６に記載の装置。
【請求項３１】
前記装置の使用を追跡し、それによって患者と呼吸治療とのコンプライアンスを確認することができる手段をさらに含む、請求項２６に記載の装置。
【請求項３２】
患者インタフェース回路に接続された噴霧器に薬剤を給送することができる元となる薬剤リザーバをさらに含む、請求項２６に記載の装置。
【請求項３３】
少なくとも１つの前記開口が、主に気体の入口用に指定されて、同伴される気体の内容を制御するために指定された気体源に接続され、少なくとも１つの前記開口が、主に気体の出口用に指定されており、排出気体を収集するリザーバに接続されること、及び雰囲気に対して開放されることのうち少なくとも一方である、請求項２６に記載の装置。
【請求項３４】
前記患者インタフェース回路が、人工呼吸器回路につながること、及びそれに組み込まれることのうち少なくとも一方である、請求項２６に記載の装置。
【請求項３５】
前記加圧気体が装置内の電子コンプレッサから供給される、請求項２６に記載の装置。
【請求項３６】
装置の構成要素のうち少なくとも幾つかが、装置の他の構成要素との適合性を示す識別器具を含む、請求項２６に記載の装置。
【請求項３７】
前記識別手段が、高周波識別（ＲＦＩＤ）タグ器具及びＲＦＩＤトランシーバ器具の少なくとも一方を備える、請求項３６に記載の装置。